(57)【特許請求の範囲】
【請求項１】
ＵＰＳＲ(Uni-directional Path Switched Ring)方式のリング伝送システムを運用中にＢＬＳＲ(Bi-directional Line Switched Ring) 方式に移行させるリング伝送システムの異方式移行方法において、
（１）ＵＰＳＲ方式の制御盤をＢＬＳＲ方式の制御盤に置き換え、
（２）パススイッチを一方向に切替えて他方向に位置するＵＰＳＲ方式の多重・分離変換盤をＢＬＳＲ方式の第１の多重・分離変換盤に置き換えると同時に、前記第１の多重・分離変換盤にＵＰＳＲ方式の動作を行わせ、
（３）前記パススイッチを前記他方向に切替えて前記一方向に位置するＵＰＳＲ方式の多重・分離変換盤をＢＬＳＲ方式の第２の多重・分離変換盤に置き換えると同時に、前記第２の多重・分離変換盤にＵＰＳＲ方式の動作を行わせ、
（４）前記第１の多重・分離変換盤および前記第２の多重・分離変換盤にＢＬＳＲ方式の動作を行わせ、
（５）前記第１の多重・分離変換盤および前記第２の多重・分離変換盤に設定されている回線配置をＵＰＳＲ方式からＢＬＳＲ方式へ変更する、
ことを特徴とするリング伝送システムの異方式移行方法。
【請求項２】
前記ステップ（１）は、
（１ａ）不揮発性メモリを備えたＵＰＳＲ方式の第１の監視制御盤の前記不揮発性メモリに蓄えられた各種設定情報を、揮発性メモリを備えたＢＬＳＲ方式の第２の監視制御盤の前記揮発性メモリに書き込み、
（１ｂ）前記第２の監視制御盤の前記揮発性メモリに書き込まれた各種設定情報を、ＢＬＳＲ方式の第３の監視制御盤の不揮発性メモリに書き込み、
（１ｃ）前記第３の監視制御盤の前記不揮発性メモリに書き込まれた各種設定情報を、ＢＬＳＲ方式の第４の監視制御盤の揮発性メモリに書き込む、
というステップを含むことを特徴とする請求項１記載のリング伝送システムの異方式移行方法。
【請求項３】
前記ステップ（２）は、
各ノードのパススイッチを同一の一方向に切替えて同一の他方向に位置するＵＰＳＲ方式の前記各ノードの多重・分離変換盤をＢＬＳＲ方式の第１の多重・分離変換盤にそれぞれ置き換えると同時に、前記各第１の多重・分離変換盤にＵＰＳＲ方式の動作を行わせるステップであり、
前記ステップ（３）は、
前記各ノードの前記パススイッチを前記他方向に切替えて前記一方向に位置するＵＰＳＲ方式の前記各ノードの多重・分離変換盤をＢＬＳＲ方式の第２の多重・分離変換盤にそれぞえ置き換えると同時に、前記各第２の多重・分離変換盤にＵＰＳＲ方式の動作を行わせるステップである、
ことを特徴とする請求項１記載のリング伝送システムの異方式移行方法。
【請求項４】
前記ステップ（３）の後に、
（３ａ）前記ステップ（２）および前記ステップ（３）が実行されたノードとは別のノードに対して前記ステップ（２）および前記ステップ（３）を実行し、（３ｂ）残りのノード全てに対して前記ステップ（２）および前記ステップ（３）の実行を繰り返す、
というステップを加えることを特徴とする請求項１記載のリング伝送システムの異方式移行方法。
【請求項５】
（６）前記パススイッチにより、前記第１の多重・分離変換盤および前記第２の多重・分離変換盤のうちの現用側の分離信号を選択する、
というステップを更に有することを特徴とする請求項１記載のリング伝送システムの異方式移行方法。
【請求項６】
ＵＰＳＲ(Uni-directional Path Switched Ring)方式から運用中にＢＬＳＲ(Bi-directional Line Switched Ring) 方式に移行される伝送装置において、
ＵＰＳＲ方式の制御盤に代わって置き換えられるＢＬＳＲ方式の制御盤と
パススイッチが一方向に切替えられたときに、他方向に位置するＵＰＳＲ方式の多重・分離変換盤に代わって置き換えられると同時に、ＵＰＳＲ方式の動作を行わされるＢＬＳＲ方式の第１の多重・分離変換盤と、
前記パススイッチが前記他方向に切替えられたときに、前記一方向に位置するＵＰＳＲ方式の多重・分離変換盤に代わって置き換えられると同時に、ＵＰＳＲ方式の動作を行わされるＢＬＳＲ方式の第２の多重・分離変換盤と、
前記第１の多重・分離変換盤および前記第２の多重・分離変換盤にＢＬＳＲ方式の動作を行わさせる動作制御手段と、
前記第１の多重・分離変換盤および前記第２の多重・分離変換盤に設定されている回線配置をＵＰＳＲ方式からＢＬＳＲ方式へ変更する変更手段と、
を有することを特徴とする伝送装置。
【発明の詳細な説明】
【０００１】
【発明の属する技術分野】
本発明は、リング伝送システムの異方式移行方法および伝送装置に関し、特に、ＵＰＳＲ(Uni-directional Path Switched Ring)方式のリング伝送システムを運用中にＢＬＳＲ(Bi-directional Line Switched Ring) 方式に移行させるリング伝送システムの異方式移行方法およびこの方法が適用される伝送装置に関する。
【０００２】
近年、光伝送システムの伝送容量の大規模化に伴い、障害時の回線救済能力および回線使用効率の優れた光伝送システムが求められている。
【０００３】
【従来の技術】
従来、複数のノードをノード毎に２本の光ファイバでリンクしてリング状に構成したリング光伝送システムの運用形態として、ＵＰＳＲ方式とＢＬＳＲ方式とがある。ＵＰＳＲ方式は、同一の送信信号をＷＥＳＴ方向およびＥＡＳＴ方向に送信して、受信側までの途中経路に障害があった場合に、障害の無い側を経た送信信号を受信側で選択するようにしている。この方式では、２本の光ファイバのうちの一方が現用回線、他方が予備回線として使用される。ＢＬＳＲ方式は、１本の光ファイバの中の半分の伝送容量を現用回線に、残りの半分を予備回線に使用する。回線の途中経路に障害があった場合に、ノードでの折り返し（ループバック）処理、および他の回線の予備回線の使用により回線救済を行っている。
【０００４】
従来、ＵＰＳＲ方式のリング光伝送システムが主流であった。
【０００５】
【発明が解決しようとする課題】
ところで、ＵＰＳＲ方式の回線使用効率は、リング内のノード数に関係なく５０パーセントであるが、ＢＬＳＲ方式の回線使用効率は、リング内のノード数が２つのときに５０パーセントであり、リング内のノード数がそれ以上に増えるに従って、回線使用効率が高くなる。したがって、ＢＬＳＲ方式は大容量光伝送システムにおいて注目されつつあり、ＵＰＳＲ方式の光伝送装置をＢＬＳＲ方式の光伝送装置へ置き換えたいという要求が高くなっている。
【０００６】
しかし、ＵＰＳＲ方式の光伝送装置とＢＬＳＲ方式の光伝送装置とでは、回線救済のための回線切替方式そのものが異なることは勿論、信号のパス経路の設定方法、異常処理の方法等が異なるため、ノードの光伝送装置の置き換え時には、光伝送システム全体の運用を一時的に中断した上で置き換えを行う必要がある。そのため、回線を使用できない期間が発生してしまうという問題点があった。
【０００７】
本発明はこのような点に鑑みてなされたものであり、回線のインサービスのまま、ＵＰＳＲ方式で構築されていたリング伝送システムをＢＬＳＲ方式に移行させることを可能とするリング伝送システムの異方式移行方法および伝送装置を提供することを目的とする。
【０００８】
【課題を解決するための手段】
本発明では上記目的を達成するために、図１に示すような、リング伝送システムが提供される。このリング伝送システムは、４つのノード（局）１〜４と、それらを接続する２組の光ファイバ５ａ〜５ｄ，６ａ〜６ｄとから構成される。各ノード１〜４はＵＰＳＲ方式の同一の内部構成となっている。ノード１を例にして説明すると、ノード１は、光ファイバ５ａ〜５ｄ上に位置する光受信部（ＯＲ）１ａ、ＵＰＳＲ方式の多重・分離変換盤１ｂ、光送信部（ＯＳ）１ｃと、光ファイバ６ａ〜６ｄ上に位置する光受信部（ＯＲ）１ｄ、ＵＰＳＲ方式の多重・分離変換盤１ｅ、光送信部（ＯＳ）１ｆと、パススチッチ１ｇと、ＵＰＳＲ方式の制御盤１ｈとから構成される。
【０００９】
こうした構成において、（１）ＵＰＳＲ方式の制御盤１ｈをＢＬＳＲ方式の制御盤に置き換え、（２）パススイッチ１ｇを一方向（例えば光ファイバ５ａ〜５ｄに係る分離信号を選択）に切替えて他方向に位置するＵＰＳＲ方式の多重・分離変換盤１ｅをＢＬＳＲ方式の第１の多重・分離変換盤に置き換えると同時に、第１の多重・分離変換盤にＵＰＳＲ方式の動作を行わせ、（３）パススイッチ１ｇを上記他方向（光ファイバ６ａ〜６ｄに係る分離信号を選択）に切替えて上記一方向に位置するＵＰＳＲ方式の多重・分離変換盤１ｂをＢＬＳＲ方式の第２の多重・分離変換盤に置き換えると同時に、第２の多重・分離変換盤にＵＰＳＲ方式の動作を行わせる。なお、ＢＬＳＲ方式の第１の多重・分離変換盤および第２の多重・分離変換盤は、ＵＰＳＲ方式の動作もできる内部構成を備えている。
【００１０】
（４）第１の多重・分離変換盤および第２の多重・分離変換盤にＢＬＳＲ方式の動作を行わせ、（５）第１の多重・分離変換盤および第２の多重・分離変換盤に設定されている回線配置をＵＰＳＲ方式からＢＬＳＲ方式へ変更する。
【００１１】
このように、ＵＰＳＲ方式の多重・分離変換盤１ｂ，１ｅおよび制御盤１ｈだけをＢＬＳＲ方式のものにそれぞれ置き換え、また、移行の運用を行うことにより、回線のインサービスのまま、ＵＰＳＲ方式で構築されていたリング伝送システムをＢＬＳＲ方式に移行させることができる。
【００１２】
【発明の実施の形態】
以下、本発明の実施の形態を図面に基づいて説明する。
まず、実施の形態の原理構成を、図１を参照して説明する。本発明の実施の形態では、リング伝送システムが、例えば４つのノード（局）１〜４と、それらを接続する２組の光ファイバ５ａ〜５ｄ，６ａ〜６ｄとから構成されていたとする。各ノード１〜４はＵＰＳＲ方式の同一の内部構成となっている。ノード１を例にして説明すると、ノード１は、光ファイバ５ａ〜５ｄ上に位置する光受信部（ＯＲ）１ａ、ＵＰＳＲ方式の多重・分離変換盤１ｂ、光送信部（ＯＳ）１ｃと、光ファイバ６ａ〜６ｄ上に位置する光受信部（ＯＲ）１ｄ、ＵＰＳＲ方式の多重・分離変換盤１ｅ、光送信部（ＯＳ）１ｆと、パススチッチ１ｇと、ＵＰＳＲ方式の制御盤１ｈとから構成される。
【００１３】
つぎに、本発明の実施の形態の詳しい構成を、図２〜図４を参照して説明する。
図２は、ＵＰＳＲ方式のノード１の内部構成を示すブロック図である。図中、光受信部１ａはＥＡＳＴ方向から送られる光信号を受信し、電気信号に変換して多重・分離変換盤１ｂへ送る。光送信部１ｃは多重・分離変換盤１ｂから送られた電気信号を光信号に変換し、ＷＥＳＴ方向へ送る。多重・分離変換盤１ｂは、分離部（ＤＭＵＸ）１ｂａ、ＴＳＡ(Time Slot Assignment)部１ｂｂ、１ｂｃ、Ｔ／Ｉ(Through or Insert) 部１ｂｄ、多重部（ＭＵＸ）１ｂｅから構成される。ドロップされるべき信号は分離部１ｂａ、ＴＳＡ部１ｂｂを経てパススイッチ（ＰＳＷ）１ｇへ送られる。アッドされるべき信号は、ＴＳＡ部１ｂｃ、Ｔ／Ｉ部１ｂｄを経て、多重部１ｂｅへ送られる。スルーされるべき信号は分離部１ｂａ、Ｔ／Ｉ部１ｂｄを経て、多重部１ｂｅへ送られる。
【００１４】
光受信部１ｄ、多重・分離変換盤１ｅ、光送信部１ｆは、光受信部１ａ、多重・分離変換盤１ｂ、光送信部１ｃと、全く同じ構成および動作であるので、説明を省略する。なお、光受信部１ｄ、多重・分離変換盤１ｅ、光送信部１ｆの図２での配置が、図１での配置と向きが反対になっているが、これは、後述の図３の表示と合わせたためにこうなっている。
【００１５】
パススイッチ１ｇは、ＥＡＳＴ方向とＷＥＳＴ方向とから送られる各信号に含まれるアラーム情報に基づき、障害のない信号を選択して出力する。制御盤１ｈは、監視制御盤１ｈａと切替制御盤１ｈｂとから構成される。
【００１６】
図３は、ＢＬＳＲ方式のノードの内部構成を示すブロック図である。この図３は、図２のＵＰＳＲ方式の多重・分離変換盤１ｅ，１ｂを、ＢＬＳＲ方式の第１および第２の多重・分離変換盤８，７にそれぞれ置き換え、また、ＵＰＳＲ方式の監視制御盤１ｈａをＢＬＳＲ方式の監視制御盤９に、ＵＰＳＲ方式の切替制御盤１ｈｂをＢＬＳＲ方式の切替制御盤１０に置き換えた状態を示している。
【００１７】
第１の多重・分離変換盤８および第２の多重・分離変換盤７は同じ構成を備えているので、第２の多重・分離変換盤７だけを説明する。第２の多重・分離変換盤７は、分離部（ＤＭＵＸ）１１ａ、リングスイッチ（ＳＷ）１２ａ、ＴＳＡ(Time Slot Assign)部１３ａ、１５ａ、Ｔ／Ｉ(Through or Insert) 部１４ａ、リングブリッジ部（ＢＲ）１６ａ、多重部（ＭＵＸ）１７ａと、分離部（ＤＭＵＸ）１１ｂ、リングスイッチ（ＳＷ）１２ｂ、ＴＳＡ(Time Slot Assign)部１３ｂ、１５ｂ、Ｔ／Ｉ(Through or Insert) 部１４ｂ、リングブリッジ部（ＢＲ）１６ｂ、多重部（ＭＵＸ）１７ｂと、Ｅ／Ｗセレクタ（Ｅ／Ｗ  ＳＥＬ）１８とから構成される。分離部１１ａにはＥＡＳＴ方向からの信号が入力され、分離部１１ｂにはＷＥＳＴ方向からの信号が入力される。多重部１７ａの出力信号はＷＥＳＴ方向に送られ、多重部１７ｂの出力信号はＥＡＳＴ方向に送られる。
【００１８】
リングスイッチ１２ａ，１２ｂは、ドロップやスルーされるべき信号の回線障害時の折り返し（ループバック）に使用され、リングブリッジ部１６ａ，１６ｂは、アッドやスルーされるべき信号の回線障害時の折り返しに使用される。
【００１９】
第２の多重・分離変換盤７にＥＡＳＴ方向およびＷＥＳＴ方向から送られる各信号が、第１の多重・分離変換盤８にも送られる。そして、信号処理も第２の多重・分離変換盤７および第１の多重・分離変換盤８は同じである。したがって、第２の多重・分離変換盤７および第１の多重・分離変換盤８は冗長な構成を形成している。Ｅ／Ｗセレクタ１８は、チャネル毎にＥＡＳＴ方向またはＷＥＳＴ方向からのドロップ信号を選択するものであり、出力をパススイッチ１ｇへ送る。パススイッチ１ｇは、第２の多重・分離変換盤７からのドロップ信号と、第１の多重・分離変換盤８からのドロップ信号とを受け、現用側の信号を選択して出力するように動作する。すなわち、ＢＬＳＲ方式になると、パススイッチ１ｇは現用予備の切替えに使用される。
【００２０】
こうした図３に示すＢＬＳＲ方式のノード（光伝送装置）が、ＵＰＳＲ方式でシステム動作した場合を図４に示す。図中、破線はＵＰＳＲ方式のシステム動作に直接関連しない部分を示す。図４に示す動作状態は、図２に示すＵＰＳＲ方式のノードの動作と同一となる。このことから、ＢＬＳＲ方式のノードは、ＵＰＳＲ方式のノードと同一のシステム動作をすることが可能であることが分かる。つまり、ＵＰＳＲ方式のリング光伝送システムにおいて、多重・分離変換盤をＢＬＳＲ方式に交換しても、その多重・分離変換盤にＵＰＳＲ方式の動作を行わせておいて、システムの全部の多重・分離変換盤がＢＬＳＲ方式に交換された段階で全部の多重・分離変換盤をＢＬＳＲ方式のシステム動作をさせれば、リング光伝送システムがインサービスのままＵＰＳＲ方式からＢＬＳＲ方式へ移行できることになる。
【００２１】
つぎに、ＵＰＳＲ方式のリング光伝送システムを運用中にＢＬＳＲ方式に移行させる手順を、図５を参照して詳述する。
図５は、ＵＰＳＲ方式のリング光伝送システムを運用中にＢＬＳＲ方式に移行させる第１の手順を示すフローチャートである。以下、図中のステップ番号に沿って説明する。
【００２２】
〔Ｓ１〕まず、図１の全ノード１〜４の各パススイッチを一方側、例えば光ファイバ５ａ〜５ｄに係る各多重・分離変換盤からの分離信号を選択する側に切り替える。このパススイッチの切替は図１の制御盤１ｈおよび上位の制御装置（図示せず）によって人為的に行われる。
【００２３】
〔Ｓ２〕ノード１のＵＰＳＲ方式の監視制御盤１ｈａ（図２）を、図３のＢＬＳＲ方式の監視制御盤９に交換する。この交換の詳細については図１１〜図１３を参照して後述する。
【００２４】
〔Ｓ３〕図１のノード１のＵＰＳＲ方式の多重・分離変換盤１ｅを、図３に示すＢＬＳＲ方式の第１の多重・分離変換盤８に交換する。ただし、第１の多重・分離変換盤８の動作を、図４に示すようなＵＰＳＲ方式のシステム動作にしておく。上記ステップＳ１の実行によるパススイッチ１ｇの切替によりＵＰＳＲ方式の多重・分離変換盤１ｅは予備側になっているので、回線の運用中でも交換が可能である。
【００２５】
図５のフローチャートでは省略したが、他のノード２〜４に対しても上記ステップＳ２，Ｓ３を順次実行する。通常、ノードどうしは４０ｋｍくらい離れているが、そうした各ノードを交換作業者がリングに沿って移動して訪れ、上記ステップＳ２，Ｓ３を実行する。交換作業者は、リングを１周することになる。
【００２６】
〔Ｓ４〕つぎに、図１の全ノード１〜４の各パススイッチを他方側、例えば光ファイバ６ａ〜６ｄに係る各多重・分離変換盤からの分離信号を選択する側に切り替える。
【００２７】
〔Ｓ５〕図１のノード１のＵＰＳＲ方式の多重・分離変換盤１ｂを、図３に示すＢＬＳＲ方式の第２の多重・分離変換盤７に交換する。ただし、第２の多重・分離変換盤７の動作を、図４に示すようなＵＰＳＲ方式のシステム動作にしておく。上記ステップＳ４の実行によるパススイッチ１ｇの切替によりＵＰＳＲ方式の多重・分離変換盤１ｂは予備側になっているので、回線の運用中でも交換が可能である。
【００２８】
図５のフローチャートでは省略したが、他のノード２〜４に対しても上記ステップＳ５を実行する。したがって、交換作業者はリングに沿って再び１周することになる。
【００２９】
〔Ｓ６〕全ノード１〜４のシステム動作をＢＬＳＲ方式に変更する。この変更は上位制御装置からの設定操作によって各ノードに対して順に行われる。
〔Ｓ７〕ノード１のＵＰＳＲ方式の切替制御盤１ｈｂ（図２）を図３のＢＬＳＲ方式の切替制御盤１０に交換する。この交換は全ノードに対して行われる。したがって、交換のために交換作業者はリングをまた１周することになる。
【００３０】
〔Ｓ８〕ステップＳ８〜Ｓ１０の実行によって回線再配置を行う。ステップＳ８〜Ｓ１０の処理はオペレータの操作によって行われる。まず、ＵＰＳＲ方式でリングの両方向（途中のノード数が多いロング側と途中のノード数が少ないショート側）に送っていた同一の送信信号をショート側だけに送信するようにするために、ロング側の信号受信部（ドロップ側）を遮断する。これはドロップ側ＴＳＡ部の回線設定処理によって行われる。
【００３１】
〔Ｓ９〕つぎに、ロング側の信号送信部（アッド側）を遮断する。これはアッド側ＴＳＡ部の回線設定処理によって行われる。
〔Ｓ１０〕ショート側で送信されていた信号のうち、ＢＬＳＲ方式において予備（プロテクション）側になるチャネルを使用している信号を現用（ワーク）側へ移す。すなわち、ＢＬＳＲ方式において現用チャネルとしてＣＨ１〜ＣＨ２４が使用され、予備チャネルとしてＣＨ２５〜ＣＨ４８が使用される場合に、ショート側でＣＨ２５〜ＣＨ４８のいずれかを使用して送信されていた信号があれば、それらがＣＨ１〜ＣＨ２４のいずれかに移される。
【００３２】
なお、以上の第１の手順では、ステップＳ１およびステップＳ２において各ノードのパススイッチを切替えるので、送信信号の瞬断がシステム全体で２Ｎ回（Ｎはノードの数）発生し、また、ステップＳ２，Ｓ３、ステップＳ５、およびステップＳ７において交換作業者がリングを各１周するので、合計３回の交換作業者によるリングの周回が必要である。
【００３３】
上述したＵＰＳＲ方式からＢＬＳＲ方式への移行手順を、図６〜図１０によって説明する。図６〜図１０は、リング構成の２つのノード２１，２２を例にしてリング光伝送システムを示している。図中、ノード２１は、内回りの光受信部（ＯＲ）２１ａ、多重・分離変換盤２１ｂ、光送信部（ＯＳ）２１ｃと、外回りの光受信部（ＯＲ）２１ｄ、多重・分離変換盤２１ｅ、光送信部（ＯＳ）２１ｆとから構成され、同様に、ノード２２は、内回りの光受信部（ＯＲ）２２ａ、多重・分離変換盤２２ｂ、光送信部（ＯＳ）２２ｃと、外回りの光受信部（ＯＲ）２２ｄ、多重・分離変換盤２２ｅ、光送信部（ＯＳ）２２ｆとから構成される。なお、各図に図示される多重・分離変換盤に関しては、白のブロックでＵＰＳＲ方式の多重・分離変換盤を表示し、斜線のブロックでＢＬＳＲ方式の多重・分離変換盤を表示し、さらに、ブロック内の括弧による表示によって、多重・分離変換盤がＵＰＳＲ方式の動作とＢＬＳＲ方式の動作のいずれを行っているかを示している。
【００３４】
図６は多重・分離変換盤が全てＵＰＳＲ方式であり、システム動作もＵＰＳＲ方式である場合を示している。すなわち、ノード２１のＵＰＳＲ方式の多重・分離変換盤２１ｂから同一の信号が、内回りおよび外回りでノード２２のＵＰＳＲ方式の多重・分離変換盤２２ｂに送られる。また、ノード２２のＵＰＳＲ方式の多重・分離変換盤２２ｅから同一の信号が、内回りおよび外回りでノード２１のＵＰＳＲ方式の多重・分離変換盤２１ｅに送られる。
【００３５】
図７は、図５のステップＳ１，Ｓ３に対応するものであり、外回り側のＵＰＳＲ方式の多重・分離変換盤２１ｅ，２２ｅをＢＬＳＲ方式の多重・分離変換盤に交換する様子を示す。すなわち、ノード２１，２２の各パススイッチ（図示せず）を内回り側に切替えて、外回り側のＵＰＳＲ方式の多重・分離変換盤２１ｅ，２２ｅを非運用状態にしておき、これらをＢＬＳＲ方式の多重・分離変換盤に交換する。ただし、これらの交換されたＢＬＳＲ方式の多重・分離変換盤を、図４で示したようなＵＰＳＲ方式の動作状態に設定しておく。
【００３６】
図８は、図５のステップＳ４，Ｓ５に対応するものであり、内回り側のＵＰＳＲ方式の多重・分離変換盤２１ｂ，２２ｂをＢＬＳＲ方式の多重・分離変換盤に交換する様子を示す。すなわち、ノード２１，２２の各パススイッチを外回り側に切替えて、内回り側のＵＰＳＲ方式の多重・分離変換盤２１ｂ，２２ｂを非運用状態にしておき、これらをＢＬＳＲ方式の多重・分離変換盤に交換する。ただし、これらの交換されたＢＬＳＲ方式の多重・分離変換盤を、図４で示したようなＵＰＳＲ方式の動作状態に設定しておく。
【００３７】
図９は、図５のステップＳ６に対応するものであり、ＢＬＳＲ方式に変換された各多重・分離変換盤の動作をＢＬＳＲ方式に設定する様子を示す。すなわち、ノード２１，２２の各多重・分離変換盤はＢＬＳＲ方式に変換されたが、動作はＵＰＳＲ方式の動作に設定されている。そこで、各多重・分離変換盤をＢＬＳＲ方式のシステム動作に設定し直す。つまり、ＵＰＳＲ方式用に設定されていたリングスイッチ（ＳＷ）やリングブリッジ（ＢＲ）をＢＬＳＲ方式用の設定に変更する。ただし、回線設定は未だＵＰＳＲ方式のままである。
【００３８】
図１０は、図５のステップＳ７〜Ｓ１０に対応するものであり、ＢＬＳＲ方式の動作をする各多重・分離変換盤に対して行われた回線再配置後の信号の流れを示す。この回線再配置は、図３の監視制御盤９の指令に基づき行われる。
【００３９】
つぎに、図５のステップＳ２に示した監視制御盤をＵＰＳＲ方式からＢＬＳＲ方式に交換する方法について、図１１〜図１３を参照して説明する。なお、ＵＰＳＲ方式の監視制御盤１ｈａおよびＢＬＳＲ方式の監視制御盤９は、詳しくは、揮発性メモリ（ＲＡＭ）搭載の監視制御盤と不揮発性メモリ（ＥＰＲＯＭ）搭載の監視制御盤との２つからそれぞれ構成される。前者は上位の監視制御装置に接続され、後者は多重・分離変換盤に接続される。
【００４０】
まず図１１に示すように、ＵＰＳＲ方式の監視制御盤１ｈａがＢＬＳＲ方式の監視制御盤９に交換される前には、揮発性メモリ（ＲＡＭ）搭載の監視制御盤２５と不揮発性メモリ（ＥＰＲＯＭ）搭載の監視制御盤２６とがＵＰＳＲ方式の各種設定情報を互いのメモリに共有している。なお、監視制御盤２５，２６はともにＣＰＵとＵＰＳＲ方式の動作用のソフトウェアを格納したＲＯＭとを備えている。監視制御盤２６のＥＰＲＯＭは、各種設定情報のバックアップ用に使用される。
【００４１】
つぎに、図１２に示すように、ＵＰＳＲ方式の監視制御盤２５が、ＢＬＳＲ方式の揮発性メモリ（ＲＡＭ）搭載の監視制御盤２７に交換される。この際に、監視制御盤２６のＥＰＲＯＭに格納されたＵＰＳＲ方式の各種設定情報が監視制御盤２７のＲＡＭに書き込まれる。なお、監視制御盤２７はＣＰＵとＢＬＳＲ方式の動作用のソフトウェアを格納したＲＯＭとを備えている。
【００４２】
最後に、図１３に示すように、ＵＰＳＲ方式の監視制御盤２６が、ＢＬＳＲ方式の不揮発性メモリ（ＥＰＲＯＭ）搭載の監視制御盤２８に交換される。この際に、監視制御盤２７のＲＡＭに格納されたＵＰＳＲ方式の各種設定情報が監視制御盤２８のＥＰＲＯＭに書き込まれる。なお、監視制御盤２８はＣＰＵとＢＬＳＲ方式の動作用のソフトウェアを格納したＲＯＭとを備えている。
【００４３】
かくして、ＢＬＳＲ方式の監視制御盤２７，２８は、ＵＰＳＲ方式の監視制御盤２５，２６の各種設定情報を引き継ぎ、互いのメモリで共有し、ＢＬＳＲ方式のソフトウェア内のＵＰＳＲモードで動作する。
【００４４】
つぎに、ＵＰＳＲ方式のリング光伝送システムを運用中にＢＬＳＲ方式に移行させる第２の手順を説明する。第２の手順は、第１の手順に比べ、交換作業者によるリング周回の回数を減らしたものである。
【００４５】
図１４は第２の手順を示すフローチャートである。以下、図中のステップ番号に沿って説明する。
〔Ｓ１１〕まず、図１のノード１のパススイッチ１ｇを一方側、例えば光ファイバ５ａ〜５ｄに係る多重・分離変換盤１ｂからの分離信号を選択する側に切り替える。そしてノード１のＵＰＳＲ方式の監視制御盤１ｈａ（図２）を、図３のＢＬＳＲ方式の監視制御盤９に交換する。
【００４６】
〔Ｓ１２〕図１のノード１のＵＰＳＲ方式の多重・分離変換盤１ｅを、図３に示すＢＬＳＲ方式の第１の多重・分離変換盤８に交換する。ただし、第１の多重・分離変換盤８の動作を、図４に示すようなＵＰＳＲ方式のシステム動作にしておく。上記ステップＳ１１の実行によるパススイッチ１ｇの切替によりＵＰＳＲ方式の多重・分離変換盤１ｅは予備側になっているので、回線の運用中でも交換が可能である。
【００４７】
〔Ｓ１３〕つぎに、図１のノード１パススイッチ１ｇを他方側、例えば光ファイバ６ａ〜６ｄに係る多重・分離変換盤１ｅからの分離信号を選択する側に切り替える。
【００４８】
〔Ｓ１４〕図１のノード１のＵＰＳＲ方式の多重・分離変換盤１ｂを、図３に示すＢＬＳＲ方式の第２の多重・分離変換盤７に交換する。ただし、第２の多重・分離変換盤７の動作を、図４に示すようなＵＰＳＲ方式のシステム動作にしておく。上記ステップＳ１３の実行によるパススイッチ１ｇの切替によりＵＰＳＲ方式の多重・分離変換盤１ｂは予備側になっているので、回線の運用中でも交換が可能である。
【００４９】
〔Ｓ１５〕上記ステップＳ１１〜Ｓ１４をノード２〜４に対しても繰り返し実行し、全ノードに対する実行が完了したならばステップＳ１６へ進む。
〔Ｓ１６〜Ｓ２０〕図５に示すＳ６〜Ｓ１０とそれぞれ同じ内容であるので説明を省略する。
【００５０】
以上のように、第２の手順では、上記ステップＳ１５からステップＳ１６へ進む段階までに交換作業者はリングを１周するだけでよいので、合計２回のリング周回で済む。ただし、第２の手順では、ステップＳ１１およびステップＳ１３においてノードのパススイッチを切替え、これを各ノードで行うため、送信信号の瞬断がシステム全体で４Ｎ回（Ｎはノードの数）発生する。したがって、リング周回の点では第２の手順が優れ、送信信号の瞬断では第１の手順が優れている。
【００５１】
【発明の効果】
以上説明したように本発明では、パススイッチによって予備側に位置させたＵＰＳＲ方式の多重・分離変換盤をＢＬＳＲ方式の多重・分離変換盤に交換すると同時に、交換されたＢＬＳＲ方式の多重・分離変換盤をＵＰＳＲ方式で動作させておく。システムのすべての多重・分離変換盤がＢＬＳＲ方式に交換された時点で、すべての多重・分離変換盤をＢＬＳＲ方式のシステム動作に移行させ、さらに回線設定をＵＰＳＲ方式からＢＬＳＲ方式に変換する。
【００５２】
これにより、回線のインサービスのまま、ＵＰＳＲ方式で構築されていたリング伝送システムをＢＬＳＲ方式に移行させることが可能となる。
【図面の簡単な説明】
【図１】本発明の原理説明図である。
【図２】ＵＰＳＲ方式のノードの内部構成を示すブロック図である。
【図３】ＢＬＳＲ方式のノードの内部構成を示すブロック図である。
【図４】図３に示すＢＬＳＲ方式のノードが、ＵＰＳＲ方式でシステム動作した場合を示す図である。
【図５】ＵＰＳＲ方式のリング光伝送システムを運用中にＢＬＳＲ方式に移行させる第１の手順を示すフローチャートである。
【図６】リング光伝送システムがＵＰＳＲ方式からＢＬＳＲ方式へ移行する途中の第１段階を示す図である。
【図７】リング光伝送システムがＵＰＳＲ方式からＢＬＳＲ方式へ移行する途中の第２段階を示す図である。
【図８】リング光伝送システムがＵＰＳＲ方式からＢＬＳＲ方式へ移行する途中の第３段階を示す図である。
【図９】リング光伝送システムがＵＰＳＲ方式からＢＬＳＲ方式へ移行する途中の第４段階を示す図である。
【図１０】リング光伝送システムがＵＰＳＲ方式からＢＬＳＲ方式へ移行する途中の第５段階を示す図である。
【図１１】監視制御盤がＵＰＳＲ方式からＢＬＳＲ方式に交換される途中の第１段階を示す図である。
【図１２】監視制御盤がＵＰＳＲ方式からＢＬＳＲ方式に交換される途中の第２段階を示す図である。
【図１３】監視制御盤がＵＰＳＲ方式からＢＬＳＲ方式に交換される途中の第３段階を示す図である。
【図１４】ＵＰＳＲ方式のリング光伝送システムを運用中にＢＬＳＲ方式に移行させる第２の手順を示すフローチャートである。
【符号の説明】
１〜４  ノード（局）
１ａ  光受信部（ＯＲ）
１ｂ  多重・分離変換盤
１ｃ  光送信部（ＯＳ）
１ｄ  光受信部（ＯＲ）
１ｅ  多重・分離変換盤
１ｆ  光送信部（ＯＳ）
１ｇ  パススチッチ
１ｈ  制御盤
５ａ〜５ｄ  光ファイバ
６ａ〜６ｄ  光ファイバ
【図１】
0003640721.tif 000002
【図２】
0003640721.tif 000003
【図３】
0003640721.tif 000004
【図４】
0003640721.tif 000005
【図５】
0003640721.tif 000006
【図６】
0003640721.tif 000007
【図７】
0003640721.tif 000008
【図８】
0003640721.tif 000009
【図９】
0003640721.tif 000010
【図１０】
0003640721.tif 000011
【図１１】
0003640721.tif 000012
【図１２】
0003640721.tif 000013
【図１３】
0003640721.tif 000014
【図１４】
0003640721.tif 000015